(57)【要約】【課題】通信ネットワークの使用帯域が限られていたとしても、ミラーリング先にて重要度に応じた交換サービスを提供し得る。【解決手段】電話交換装置ＢＴ１において、ミラーリング元とミラーリング先との間のＩＰ網１の使用帯域ごとに、ミラーリング先へのサービス処理データの転送方法を表す帯域対転送テーブルを記憶部１４に備えるようにしたことにより、呼制御部にて判定部１３２で判定されたＩＰ網１の使用帯域と帯域対転送テーブルとに基づいて、重要度の高い呼データについてはリアルタイムでミラーリング先の電話交換装置ＢＴ３へ転送し、重要度の低い課金データについては非リアルタイムでミラーリング先の電話交換装置ＢＴ３へ転送もしくは送信しないようにして、ＩＰ網１の使用帯域を有効に利用するようにしている。【選択図】      図５
2011139149.tif 000002
【特許請求の範囲】
【請求項１】
複数の電話端末間の交換処理を実行し、通信ネットワークを接続可能な電話交換装置において、
前記通信ネットワーク上に接続される他の電話交換装置に対し、前記交換処理に係わるサービスを実行するために必要な処理情報を転送するミラーリングを実行するミラーリング実行手段と、
ミラーリング元とミラーリング先との間の通信ネットワークの使用帯域ごとに、前記ミラーリング先への処理情報の転送方法を表す管理テーブルを記憶する記憶手段と、
予め設定される条件に基づいて、ミラーリング元とミラーリング先との間の通信ネットワークの使用帯域を判定する判定手段と、
この判定手段により判定された使用帯域及び前記管理テーブルに基づいて、前記ミラーリング先に対し前記処理情報の転送制御を行う転送制御手段とを具備したことを特徴とする電話交換装置。
【請求項２】
前記判定手段は、前記条件の判断に、時間帯と前記使用帯域とを対応付けたテーブルを用いることを特徴とする請求項１記載の電話交換装置。
【請求項３】
前記判定手段は、前記条件の判断に、前記通信ネットワークの使用帯域を検出する検出器による検出結果を用いることを特徴とする請求項１記載の電話交換装置。
【請求項４】
前記判定手段は、前記条件の判断に、前記検出器による検出された帯域履歴を用いることを特徴とする請求項３記載の電話交換装置。
【請求項５】
前記判定手段は、前記条件の判断に、保守端末により設定された帯域を用いることを特徴とする請求項１記載の電話交換装置。
【請求項６】
前記転送制御手段は、前記処理情報の種類ごとにリアルタイム転送、非リアルタイム転送、送信しないのうちの少なくとも１つを実行することを特徴とする請求項１記載の電話交換装置。
【請求項７】
前記転送制御手段は、非リアルタイム転送を実行する場合に、前記処理情報を記録媒体に記録しておき、リアルタイム転送する処理情報の転送が終了した場合に、前記記録媒体に記録された処理情報を読み出してミラーリング先に転送することを特徴とする請求項６記載の電話交換装置。
【請求項８】
前記転送制御手段は、非リアルタイム転送を実行する場合に、前記処理情報を記録媒体に記録しておき、予め設定された日時に、前記記録媒体に記録された処理情報を読み出してミラーリング先に転送することを特徴とする請求項６記載の電話交換装置。
【請求項９】
複数の電話端末間の交換処理を実行しかつ通信ネットワークを接続可能な電話交換装置で使用され、前記通信ネットワーク上に接続される他の電話交換装置に対し、前記交換処理に係わるサービスを実行するために必要な処理情報を転送するミラーリングを実行するミラーリング制御方法において、
ミラーリング元とミラーリング先との間の通信ネットワークの使用帯域ごとに、前記ミラーリング先への処理情報の転送方法を表す管理テーブルをメモリに記憶し、
予め設定される条件に基づいて、ミラーリング元とミラーリング先との間の通信ネットワークの使用帯域を判定し、
この判定された使用帯域及び前記管理テーブルに基づいて、前記ミラーリング先に対し前記処理情報の転送制御を行うようにしたことを特徴とするミラーリング制御方法。
【発明の詳細な説明】
【技術分野】
【０００１】
この発明は、例えばＩＰ（Internet Protocol）網を介して接続される電話交換装置間で、交換サービスのための処理情報を転送するミラーリングを実行する電話交換装置及びミラーリング制御方法に関する。
【背景技術】
【０００２】
近年、ＩＰ網を介して、双方向に画像や音声をパケットデータとして、リアルタイムに送受信するＩＰ電話システムが普及している。このＩＰ電話システムでは、ＩＰ網に接続される各電話交換装置ごとに内線間通信や外線発着信を行えることは勿論のこと、ＩＰ網を経由した電話交換装置間での内線通信や外線発着信を行うことができる。
【０００３】
ところで、ＩＰ電話システムでは、電話交換装置で使用される呼に係わるデータ、ユーザ設定に係わるデータ、システム動作のための保守設定データ、課金データ、トラフィックデータ、デバック用データ等の交換サービスのためのサービスデータを、他の電話交換装置に転送するミラーリング機能がある。すなわち、ミラーリング元で保持しているサービスデータをミラーリング先へ転送することで、ミラーリング先でもミラーリング元と同等のサービスを提供できる。また、ミラーリング元に障害が発生すると、ハートビート検出等によりミラーリング先へ切り替わり、ミラーリング先のサービスデータを用いてミラーリング先にて運用を行うようにしている。
【０００４】
ところで、電話交換装置間を接続するＩＰ網にあっては、使用時間帯や使用環境等によって処理負荷やトラフィック負荷が大きくなることが十分に予想される。この場合、電話交換装置間のミラーリング実行にエラーが発生し、どの交換サービスも提供できなくなる可能性がある。
【０００５】
なお、関連する技術として、主系のストレージから副系のストレージへのログの転送の応答時間を監視し、応答時間が予め定めた閾値に達したとき、同期転送によるコピー方式と非同期転送によるコピー方式とを切り替えるディザスタリカバリ方法が提案されている（例えば特許文献１）。
【先行技術文献】
【特許文献】
【０００６】
【特許文献１】特開２００６−３３８０６４号公報
【発明の概要】
【発明が解決しようとする課題】
【０００７】
ところで、上記方法では、ＩＰ網上の通信トラフィック負荷が大きい場合に、重要度の高いサービスデータの転送をリアルタイムに転送できないことがあり、万一ミラーリング元で障害が発生した時にミラーリング先にてミラーリング元と同等のサービスを提供できない。
【０００８】
そこで、この発明の目的は、通信ネットワークの使用帯域が限られていたとしても、ミラーリング先にて重要度に応じた交換サービスを提供し得る電話交換装置及びミラーリング制御方法を提供することにある。
【課題を解決するための手段】
【０００９】
上記目的を達成するために、この発明に係る電話交換装置は、複数の電話端末間の交換処理を実行し、通信ネットワークを接続可能な電話交換装置において、通信ネットワーク上に接続される他の電話交換装置に対し、交換処理に係わるサービスを実行するために必要な処理情報を転送するミラーリングを実行するミラーリング実行手段と、ミラーリング元とミラーリング先との間の通信ネットワークの使用帯域ごとに、ミラーリング先への処理情報の転送方法を表す管理テーブルを記憶する記憶手段と、予め設定される条件に基づいて、ミラーリング元とミラーリング先との間の通信ネットワークの使用帯域を判定する判定手段と、この判定手段により判定された使用帯域及び管理テーブルに基づいて、ミラーリング先に対し処理情報の転送制御を行う転送制御手段とを備えるようにしたものである。
【００１０】
この構成によれば、ミラーリング元とミラーリング先との間の通信ネットワークの使用帯域ごとに、ミラーリング先への処理情報の転送方法を表す管理テーブルを用意したことにより、判定された通信ネットワークの使用帯域と管理テーブルとに基づいて、重要度の高い処理情報についてはリアルタイムでミラーリング先へ転送し、重要度の低い処理情報については非リアルタイムでミラーリング先へ転送もしくは送信しないようにして、通信ネットワークの使用帯域を有効に利用することができる。
【００１１】
従って、通信ネットワークの使用帯域が限られていたとしても、重要度の高い処理情報をミラーリング先へリアルタイムで転送することができる。
【００１２】
また、この発明に係る電話交換装置において、判定手段は、条件の判断に、時間帯と前記使用帯域とを対応付けたテーブルを用いるようにしている。
【００１３】
この構成によれば、テーブルを用いて、簡単な手順により通信ネットワークの使用帯域を判定することができる。
【００１４】
また、この発明に係る電話交換装置において、判定手段は、条件の判断に、通信ネットワークの使用帯域を検出する検出器による検出結果を用いるようにしている。
【００１５】
この構成によれば、通信ネットワークの使用帯域を検出する検出器による検出結果を用いるようにしているので、使用帯域の判定上の信頼性を向上できる。
【００１６】
さらに、この発明に係る電話交換装置において、転送制御手段は、非リアルタイム転送を実行する場合に、処理情報を記録媒体に記録しておき、予め設定された日時に、記録媒体に記録された処理情報を読み出してミラーリング先に転送するようにしている。
【００１７】
この構成によれば、記録媒体に保存された処理情報の転送日時を、通信ネットワークの帯域をあまり使用しない夜間等に設定することで、通信ネットワークの使用帯域の有効利用率を高めることができる。
【発明の効果】
【００１８】
上記発明によれば、通信ネットワークの使用帯域が限られていたとしても、ミラーリング先にて重要度に応じた交換サービスを提供し得る電話交換装置及びミラーリング制御方法を提供することができる。
【図面の簡単な説明】
【００１９】
【図１】この発明の第１の実施形態に係わるＩＰ電話システムを示す概略構成図。
【図２】上記図１に示した電話交換装置ＢＴ１〜ＢＴｎの機能構成を示すブロック図。
【図３】上記図２に示した帯域対転送テーブルの記憶内容の一例を示す図。
【図４】上記図２に示した時間対帯域テーブルの記憶内容の一例を示す図。
【図５】同第１の実施形態において、ミラーリング元の電話交換装置とミラーリング先の電話交換装置との間で、サービス処理データを転送する動作を示すシーケンス図。
【図６】同第１の実施形態における電話交換装置の呼制御部の制御処理手順を示すフローチャート。
【図７】この発明の第２の実施形態に係る電話交換装置の機能構成を示すブロック図。
【図８】この発明の他の実施形態において、保守端末により設定されるＩＰ網の使用帯域を示す図。
【図９】この発明の他の実施形態において、非リアルタム転送の対象データをミラーリング先へ転送する時刻を記憶する例を示す図。
【発明を実施するための形態】
【００２０】
以下、この発明の実施形態について図面を参照して詳細に説明する。  
（第１の実施形態）  
この発明の第１の実施形態は、通信ネットワークの使用帯域の判定に、時間と帯域とを対応付けたテーブルを用いるようにしたものである。
【００２１】
図１は、この発明の第１の実施形態に係わるＩＰ電話システムを示す概略構成図である。  
このシステムは、通信ネットワークとしてパケット通信用のＩＰ網１を有する。ＩＰ網１には、複数の電話交換装置ＢＴ１〜ＢＴｎ（ｎは自然数）が接続されている。また、電話交換装置ＢＴ１〜ＢＴｎには、電話端末Ｔ１１〜Ｔ１ｉ（ｉは自然数），Ｔ２１〜Ｔ２ｍ（ｍは自然数），Ｔ３１〜Ｔ３ｐ（ｐは自然数），Ｔｎ１〜Ｔｎｋ（ｋは自然数）が接続されている。また、電話交換装置ＢＴ１，ＢＴｎは公衆網ＮＷ１，ＮＷ２に局線Ｌを介して接続されている。
【００２２】
電話交換装置ＢＴ１〜ＢＴｎは、電話端末Ｔ１１〜Ｔ１ｉ，Ｔ２１〜Ｔ２ｍ，Ｔ３１〜Ｔ３ｐ，Ｔｎ１〜Ｔｎｋ相互間、公衆網ＮＷ１，ＮＷ２と電話端末Ｔ１１〜Ｔ１ｉ，Ｔ２１〜Ｔ２ｍ，Ｔ３１〜Ｔ３ｐ，Ｔｎ１〜Ｔｎｋとの間の発着信に係わる通常の交換制御機能を有する。
【００２３】
ここでは、電話交換装置ＢＴ１は例えば東京に位置し、電話交換装置ＢＴ３は例えば大阪に位置するものとする。
【００２４】
図２は、上記電話交換装置ＢＴ１〜ＢＴｎの機能構成を示すブロック図である。ここでは、電話交換装置ＢＴ１を代表して説明する。
【００２５】
電話交換装置ＢＴは、ＩＰ制御部１１と、メディア変換部１２と、呼制御部１３と、記憶部１４と、公衆網インタフェース部１７とを備えている。これらＩＰ制御部１１と、メディア変換部１２と、呼制御部１３と、記憶部１４と、公衆網インタフェース部１７は、データハイウェイ１５を介して互いに接続されている。
【００２６】
ＩＰ制御部１１には、ＬＡＮ１が必要に応じて接続される。ＩＰ制御部１１は、接続されたＬＡＮ１との間でインタフェース処理を行う。また、ＩＰ制御部１１は、上記インタフェース処理に係わる種々の制御情報の授受を、データハイウェイ１５を介して呼制御部１３との間で行う。
【００２７】
メディア変換部１２には、タイムスイッチ１６が接続される。メディア変換部１２は、ＩＰ制御部１１で受信した制御パケット及び音声パケットを処理するもので、パケットをＰＣＭ信号に変換してタイムスイッチ１６に出力し、タイムスイッチ１６からのＰＣＭ信号をパケットに変換してＩＰ制御部１１に出力する。タイムスイッチ１６は、各電話端末Ｔ１１〜Ｔ１ｉ間の通信パスを形成する。
【００２８】
公衆網インタフェース部１７には、公衆網ＮＷ１が必要に応じて接続される。公衆網インタフェース部１７は、接続された公衆網ＮＷ１との間でインタフェース処理を行う。また、公衆網インタフェース部１７は、上記インタフェース処理に係わる種々の制御情報の授受を、データハイウェイ１５を介して呼制御部１３との間で行う。
【００２９】
呼制御部１３は、ＣＰＵ、ＲＯＭ、ＲＡＭなどを有して構成され、ソフトウェア処理により電話交換装置ＢＴ１の各部の制御を行う。
【００３０】
記憶部１４は、呼制御部１３の接続制御に必要なルーティング情報等を格納している。
【００３１】
ところで、記憶部１４には、帯域対転送テーブル１４１と、時間対帯域テーブル１４２が設けられている。帯域対転送テーブル１４１には、図３に示すように、サービス処理データのミラーリングのための伝送に使用可能な帯域（幅）と交換サービスを提供するためのサービス処理データの種類毎の転送方式とを関連付けたデータが記憶されている。帯域毎に、転送方法「リアルタイム転送」、「非リアルタイム転送」、「送らない」とデータ種別が関連付けて記憶されている。例えばデータａは呼に関わるデータであり、データｂはユーザ設定に関わるデータ（転送設定や着信拒否設定等）であり、データｃはシステム動作の為の保守設定データであり、データｄは課金データであり、データｅはトラフィックデータであり、データｆはデバッグ用データ(errログ、traceログ)である。これらのデータａ〜ｇはデータベース１８に保存されている。これらのデータａ〜ｇはミラーリング先へ転送されることで、ミラーリング先でもミラーリング元と同等のサービスを提供できる。
【００３２】
時間対帯域テーブル１４２には、図４に示すように、時間帯と帯域（幅）との対応関係を表すデータが記憶されている。この対応テーブルは、普段の時間毎の平均的なトラヒック量の状態から、サービスデータのミラーリングに使用できる帯域を予め求めておいて、テーブル化したものである。
【００３３】
一方、呼制御部１３は、この発明に係る機能として、ミラーリング実行部１３１と、判定部１３２と、転送処理部１３３とを備えている。ミラーリング実行部１３１は、サービス処理データ（データａ〜ｇ）をデータベース１８から読み出して、予め転送先として登録してある電話交換装置ＢＴ３へＩＰ網１を介して転送するミラーリングを実行する。
【００３４】
判定部１３２は、タイマＴＭで計時される現在日時と時間対帯域テーブル１４２に記憶された時間帯とを比較し、この比較結果に基づいてミラーリング元となる電話交換装置ＢＴ１とミラーリング先となる電話交換装置ＢＴ３との間のＩＰ網１の使用帯域を判定する。
【００３５】
転送処理部１３３は、上記判定部１３２により判定された使用帯域と、帯域対転送テーブル１４１とに基づいて、ミラーリング先となる電話交換装置ＢＴ３に対しサービス処理データの転送制御（「リアルタイム転送」、「非リアルタイム転送」、「送らない」の選択）を行う。
【００３６】
次に、上記構成における動作について説明する。  
図５は、ミラーリング元の電話交換装置ＢＴ１とミラーリング先の電話交換装置ＢＴ３との間で、サービス処理データを転送する動作を示すシーケンス図である。
【００３７】
いま例えば電話端末Ｔ１１のユーザが公衆網ＮＷ１上の外部電話端末ＴＴ１に対する発信操作を行なったとする（図５（１））。そうすると電話端末Ｔ１１からその要求信号が電話交換装置ＢＴ１に送られる。この要求信号を受信すると電話交換装置ＢＴ１は、公衆網ＮＷ１宛の要求信号を生成してこの信号を公衆網ＮＷ１へ送信する（図５（２））。
【００３８】
公衆網ＮＷ１は、上記要求信号を受信すると着信先の外部電話端末ＴＴ１を呼び出し（図５（３））、この外部電話端末ＴＴ１が応答すると（図５（４））、当該電話端末Ｔ１１と外部電話端末ＴＴ１との間を接続する。
【００３９】
電話交換装置ＢＴ１の呼制御部１３は、電話端末Ｔ１１と外部電話端末ＴＴ１との間に通信リンクが形成されると、その通話に係わるデータａをデータベース１８に保存し、以後、ＲＴＰ等により通話が続けられる。その後、いずれかの端末から終話の操作を行われると、呼制御部１３は前記通信リンクの切断の処理を行う。このようにして、電話端末Ｔ１１と外部電話端末ＴＴ１との間に通信リンクが切断されると、その終話の旨のデータａをデータベース１８に保存し、通話に関する課金データｄを求めてデータベース１８に保存する（図５（５））。
【００４０】
そして、呼制御部１３は、図６に示す制御処理手順を実行する。  
呼制御部１３は、データベース１８から該当するサービス処理データを読み出し（ステップＳＴ６ａ）、タイマＴＭで計時される現在日時と時間対帯域テーブル１４２とを比較照合し（ステップＳＴ６ｂ）、この比較照合結果から、その時点でミラーリングに使用できる帯域、例えば「帯域ｘｘ」（例えば、帯域上限の１０％）を決定する（ステップＳＴ６ｃ）。そして、この決定された「帯域ｘｘ」をもとに帯域対転送テーブル１４１を参照する（ステップＳＴ６ｄ）。ここでは、「帯域ｘｘ」が帯域ｎ−１〜帯域ｎの範囲にあるとして説明する。
【００４１】
続いて、呼制御部１３は、帯域対転送テーブル１４１上に帯域ｎ−１〜帯域ｎの範囲に属するリアルタイム転送対象データがあるか否かの判断を行う（ステップＳＴ６ｅ）。ここでは、呼に係わるデータａが存在するので、このデータａをデータベース１８に保存すると共に、ミラーリング先の電話交換装置ＢＴ３へ転送する（ステップＳＴ６ｆ）。
【００４２】
一方、帯域対転送テーブル１４１上で「非リアルタイム転送」となっている課金データｄも存在するので、呼制御部１３はステップＳＴ６ｇからステップＳＴ６ｈに移行してここで課金データｄをデータベース１８に保存する。そして、リアルタイム転送の呼に係わるデータａの転送が終了するか否かを監視し（ステップＳＴ６ｉ）、データａの転送が終了した場合に（Ｙｅｓ）、データベース１８に課金データｄがリアルタイム転送されているか否かの判断を行う（ステップＳＴ６ｊ）。
【００４３】
ここで、課金データｄがリアルタイム転送されていなければ（Ｙｅｓ）、呼制御部１３はデータベース１８から課金データｄを読み出してＩＰ網１を介してミラーリング先の電話交換装置ＢＴ３へ転送する（ステップＳＴ６ｋ）。
【００４４】
また、帯域対転送テーブル１４１上で「送らない」となっているデータｃが存在する場合、呼制御部１３はステップＳＴ６ｇからステップＳＴ６ｌに移行してここでデータｃをデータベース１８に保存して処理を終了する。
【００４５】
なお、帯域対転送テーブル１４１の記憶内容及び時間対帯域テーブル１４２の記憶内容は、ＩＰ網１に接続される保守端末Ｍ１により設定され、また変更される。
【００４６】
以上のように上記第１の実施形態では、電話交換装置ＢＴ１において、ミラーリング元とミラーリング先との間のＩＰ網１で使用可能な帯域ごとに、ミラーリング先へのサービス処理データの転送方法を表す帯域対転送テーブル１４１と、時間毎に使用可能な帯域幅を対応つけた時間対帯域テーブル１４２とを記憶部１４に備えるようにしたことにより、サービス処理データの転送方法を変更するようにした。このため、呼制御部１３にて判定されたＩＰ網１の使用帯域と帯域対転送テーブル１４１とに基づいて、重要度の高い呼データａについてはリアルタイムでミラーリング先の電話交換装置ＢＴ３へ転送し、重要度の低い課金データｄについては非リアルタイムでミラーリング先へ転送もしくは送信しないようにして、ＩＰ網１の使用帯域を有効に利用するようにしている。
【００４７】
従って、ＩＰ網１の使用帯域に影響されることなく、重要度の高いサービス処理データをミラーリング先へリアルタイムで転送することができる。これにより、例えばデータａ，ｂを必要とするサービスはミラーリング先でも提供できる。また、障害発生タイミングにもよるが、データｄ，ｅ，ｆが転送された後の障害発生であればデータｄ，ｅ，ｆを必要とするサービスも提供できる。
【００４８】
また、上記第１の実施形態では、時間帯と使用帯域とを対応付けた時間対帯域テーブル１４２を用いるようにしているので、簡単な手順でしかもコストをかけることなくＩＰ網１の使用帯域を判定することができる。
【００４９】
（第２の実施形態）  
この発明の第２の実施形態は、ＩＰ網１の使用帯域を直接に検出可能な検出器を用いて判定するようにしたものである。
【００５０】
図７は、この発明の第２の実施形態に係る電話交換装置ＢＴ１の機能構成を示すブロック図である。図７において、上記図２と同一部分には同一符号を付して詳細な説明を省略する。
【００５１】
この電話交換装置ＢＴ１は、記憶部１４から時間対帯域テーブル１４２を削除し、代わりにＩＰ網１の使用帯域を検出するセンサ１９を呼制御部１３とデータハイウェイ１５との間に接続するようにしている。
【００５２】
上記判定部１３２は、センサ１９で検出される実効帯域に基づいてミラーリング元となる電話交換装置ＢＴ１とミラーリング先となる電話交換装置ＢＴ３との間のＩＰ網１の使用帯域を判定する。
【００５３】
以上のようにこの第２の実施形態によれば、ＩＰ網１の使用帯域を検出するセンサ１９による検出結果を判定部１３２の判定に用いるようにしている。その後、帯域対転送テーブル１４１を参照して、前記判定部１３２のこの検出結果に対応する帯域幅における、データの転送方法を決定し、説明した図５の処理手順にそって、データの転送を行う。
【００５４】
このようにして、ＩＰ網１の使用帯域を直接得ることができ、これにより使用帯域の判定上の信頼性を向上できるため、その時点でネットワークのトラヒック状態に沿った、データの転送が行えるようになる。
【００５５】
（その他の実施形態）  
なお、この発明は上記各実施形態に限定されるものではない。例えば、上記第１の実施形態では、ＩＰ網の使用帯域の判定に、時刻と帯域とを対応付けた時刻対帯域テーブルの記憶内容を用いる例について説明した。しかしこれに限ることなく、図８に示すように、保守端末Ｍ１により予め設定された使用帯域を判定に用いるようにしてもよい。帯域が時間帯によらずほぼ一律であることが分かっている場合には、図８のように一意の値をあらかじめ設定するだけで十分である。
【００５６】
また、上記第２の実施形態では、ＩＰ網の使用帯域の判定に、センサにより検出される実効帯域を用いる例について説明したが、実効帯域の履歴に従って帯域を判断しても良い。これは、センサによりリアルタイムで検出した実行帯域を判定に使用するのではなく、まず実効帯域を履歴として記憶しておき、その記憶情報を元に使用帯域判定を行うものである。これにより常にセンサによって実行帯域を検出する際の負荷を減らすことができる。
【００５７】
また、転送処理部における転送量に基づく使用帯域または使用帯域の履歴に従って帯域を判断しても良い。
【００５８】
また、上記第１の実施形態では、リアルタイム転送の対象データの転送終了後に、非リアルタム転送の対象データをミラーリング先へ転送する例について説明したが、図９に示すように、転送時刻を記憶しておき、その時刻になった際に、非リアルタイム転送の対象データを転送するようにしてもよい。図９のテーブルでは複数の時刻が設定できるようにしてあるが、例えば時刻１になった際に非リアルタイム転送の対象データを送る。また別の時刻２になった際に再び非リアルタイム転送の対象データを送る。このようにすれば、非リアルタイム転送の対象データの転送時刻または転送日時を、ＩＰ網の帯域をあまり使用しない夜間等に設定することで、ＩＰ網の使用帯域の有効利用率を高めることができる。
【００５９】
その他、ＩＰ電話システムの構成、電話交換装置の機能構成、ミラーリング先に転送するサービス処理データの種類、ＩＰ網の使用帯域の判定に用いる条件の種類、ミラーリングを実行するための各制御の制御手順とその内容等についてもこの発明の要旨を逸脱しない範囲で種々変形して実施可能である。
【符号の説明】
【００６０】
１…ＩＰ網、１１…ＩＰ制御部、１２…メディア変換部、１３…呼制御部、１４…記憶部、１５…データハイウェイ、１６…タイムスイッチ、１７公衆網インタフェース部、１８データベース、１９センサ、１３１ミラーリング実行部、１３２判定部、１３３転送処理部、１４１帯域対転送テーブル、１４２時間対帯域テーブル、ＢＴ１〜ＢＴｎ…電話交換装置、Ｔ１１〜Ｔ１ｉ，Ｔ２１〜Ｔ２ｍ，Ｔ３１〜Ｔ３ｐ，Ｔｎ１〜Ｔｎｋ…電話端末、ＮＷ１，ＮＷ２…公衆網。
【図１】
2011139149.tif 000003
【図２】
2011139149.tif 000004
【図３】
2011139149.tif 000005
【図４】
2011139149.tif 000006
【図５】
2011139149.tif 000007
【図６】
2011139149.tif 000008
【図７】
2011139149.tif 000009
【図８】
2011139149.tif 000010
【図９】
2011139149.tif 000011